(57)【要約】【課題】  本発明は、カメラ本体に対してより着脱しやすいアクセサリ及びこれを備えた撮像装置を提供することを目的とする。【解決手段】  複数の第１バヨネット爪部を有する第１マウント部を有するカメラ本体に対して着脱可能なアクセサリであって、前記複数の第１バヨネット爪部と係合する複数の第２バヨネット爪部を有する第２マウント部と、前記アクセサリを前記カメラ本体に装着した際に前記カメラ本体と接触することが可能な弾性部材と、前記弾性部材を保持する筒部材と、を有し、前記筒部材には、前記アクセサリを前記カメラ本体に装着した際に前記弾性部材の一部が入ることが可能な凹部が設けられている、ことを特徴とする。【選択図】  図３
2020027162.tif 000002
【特許請求の範囲】
【請求項１】
複数の第１バヨネット爪部を有する第１マウント部を有するカメラ本体に対して着脱可能なアクセサリであって、
前記複数の第１バヨネット爪部と係合する複数の第２バヨネット爪部を有する第２マウント部と、
前記アクセサリを前記カメラ本体に装着した際に前記カメラ本体と接触することが可能な弾性部材と、
前記弾性部材を保持する筒部材と、を有し、
前記筒部材には、前記アクセサリを前記カメラ本体に装着した際に前記弾性部材の一部が入ることが可能な凹部が設けられている、
ことを特徴とするアクセサリ。
【請求項２】
前記凹部は環状凹部であって、前記環状凹部の内径は、前記第２マウント部の外径よりも大きい、
ことを特徴とする請求項１に記載のアクセサリ。
【請求項３】
前記凹部は環状凹部であって、前記環状凹部の外径は、前記弾性部材の外径よりも小さい、
ことを特徴とする請求項１または２に記載のアクセサリ。
【請求項４】
前記第２マウント部の前記筒部材側の面が切削あるいは研磨されている、
ことを特徴とする請求項１乃至３のいずれか一項に記載のアクセサリ。
【請求項５】
前記アクセサリが前記カメラ本体から取り外されている際に前記凹部の底面から前記弾性部材が離れている、
ことを特徴とする請求項１乃至４のいずれか一項に記載のアクセサリ。
【請求項６】
前記アクセサリを前記カメラ本体に装着した際に前記凹部の底面に前記弾性部材が接触する、
ことを特徴とする請求項１乃至５のいずれか一項に記載のアクセサリ。
【請求項７】
前記アクセサリが前記カメラ本体から取り外されている際に前記凹部の底面に前記弾性部材の第１部分が接触している、
ことを特徴とする請求項１乃至４のいずれか一項に記載のアクセサリ。
【請求項８】
前記アクセサリが前記カメラ本体から取り外されている際に前記凹部の底面から前記弾性部材の第２部分が離れており、
前記アクセサリを前記カメラ本体に装着した際に前記凹部の底面に前記第１部分及び前記第２部分が接触する、
ことを特徴とする請求項７に記載のアクセサリ。
【請求項９】
前記アクセサリを前記カメラ本体に装着した際に前記弾性部材が前記カメラ本体に設けられた金属部材に接触する、
ことを特徴とする請求項１乃至８のいずれか一項に記載のアクセサリ。
【請求項１０】
前記凹部には前記筒部材の内部あるいは外部に貫通する貫通部を有する、
ことを特徴とする請求項１乃至９のいずれか一項に記載のアクセサリ。
【請求項１１】
前記アクセサリは複数のレンズを有するレンズ装置である、
ことを特徴とする請求項１乃至１０のいずれか一項に記載のアクセサリ。
【請求項１２】
前記アクセサリは複数のレンズを有するレンズ装置と前記カメラ本体との間に装着可能なアダプタである、
ことを特徴とする請求項１乃至１０のいずれか一項に記載のアクセサリ。
【請求項１３】
前記カメラ本体と、
請求項１１に記載のアクセサリと、を備える、
ことを特徴とする撮像装置。
【請求項１４】
前記カメラ本体と、
前記レンズ装置と、
請求項１２に記載のアクセサリと、を備える、
ことを特徴とする撮像装置。
【発明の詳細な説明】
【技術分野】
【０００１】
本発明は、アクセサリ及びこれを備えた撮像装置に関する。
【背景技術】
【０００２】
カメラ本体に交換レンズやアダプタなどのカメラアクセサリ（単にアクセサリともいう）が着脱可能な撮像装置（カメラシステムともいう）におけるマウント部分の防塵及び防滴構造として、特許文献１に記載の構造が知られている。特許文献１に記載の構造は、カメラアクセサリ側に弾性部材を設け、カメラアクセサリをカメラ本体に装着した際にこの弾性部材がつぶされることでマウント部分に塵や水滴が入ることを防ぐ構造である。
【先行技術文献】
【特許文献】
【０００３】
【特許文献１】特開２００３−１５０１０号公報
【発明の概要】
【発明が解決しようとする課題】
【０００４】
特許文献１に記載の構造は、前述の防塵及び防滴構造に加えて、バックフォーカス調整用の調整部材も有している。この調整部材は、カメラアクセサリ内のレンズの取付誤差や製造誤差によって設計値からずれてしまったバックフォーカスを設計値に近づけるように調整するための部材である。また、特許文献１には、前述の調整部材によるバックフォーカス調整に加えて、カメラアクセサリ側の部品の光軸と直交する平面を切削することによるバックフォーカス調整も開示されている。
【０００５】
このようなバックフォーカス調整を行うことで、カメラアクセサリに設けられた防塵及び防滴用の弾性部材と、この弾性部材が接触するカメラ本体側の面との位置関係を適切に設定することができる。しかしながら、カメラアクセサリ側の部品の光軸と直交する平面を切削してバックフォーカス調整を行う際に、例えば切削しすぎてしまうとバックフォーカスが理想値よりも短くなってしまう可能性がある。バックフォーカスが理想値よりも短くなってしまうと、カメラアクセサリをカメラ本体に装着した際に、防塵及び防滴用の弾性部材が過度につぶされてしまってカメラアクセサリをカメラ本体から取り外しにくくなってしまうおそれがある。あるいは、カメラアクセサリをカメラ本体に装着する際に、カメラアクセサリをカメラ本体に対して回転させて装着する動作がしにくくなるおそれがある。
【０００６】
そこで本発明は、カメラ本体に対してより着脱しやすいアクセサリ及びこれを備えた撮像装置を提供することを目的とする。
【課題を解決するための手段】
【０００７】
上記の目的を達成するために本発明のアクセサリは、
複数の第１バヨネット爪部を有する第１マウント部を有するカメラ本体に対して着脱可能なアクセサリであって、
前記複数の第１バヨネット爪部と係合する複数の第２バヨネット爪部を有する第２マウント部と、
前記アクセサリを前記カメラ本体に装着した際に前記カメラ本体と接触することが可能な弾性部材と、
前記弾性部材を保持する筒部材と、を有し、
前記筒部材には、前記アクセサリを前記カメラ本体に装着した際に前記弾性部材の一部が入ることが可能な凹部が設けられている、
ことを特徴とする。
【発明の効果】
【０００８】
本発明によれば、カメラ本体に対してより着脱しやすいアクセサリ及びこれを備えた撮像装置を提供することができる。
【図面の簡単な説明】
【０００９】
【図１】本発明の撮像装置側面図
【図２】第１実施例の交換レンズの部分断面図
【図３】第１実施例の交換レンズとカメラ本体の部分断面図
【図４】第２実施例の交換レンズの部分断面図
【図５】第２実施例の交換レンズとカメラ本体の部分断面図
【発明を実施するための形態】
【００１０】
以下に、本発明の好ましい実施の形態を、添付の図面に基づいて詳細に説明する。図１から図５は、本発明の実施形態にかかわる撮像装置である。
【００１１】
［第１実施例］
（撮像装置の構成）
図１は本実施例及び後述の第２実施例における撮像装置（カメラシステム）１０００の構成を示す図である。図１に示す撮像装置１０００は、カメラ本体１００と交換レンズ（レンズ装置、アクセサリ）１０を備えている。カメラ本体１００と交換レンズ１０はバヨネット構造をしたマウント部を有している。より詳細には、カメラ本体１００は後述の図３に示す複数のカメラ側バヨネット爪部（第１バヨネット爪部）１ｃを有するカメラマウント（第１マウント部）１と、撮像素子１０１を有する。撮像素子１０１は交換レンズ１０からの光を受光するようにカメラ本体１００の内部に設けられている。
【００１２】
（レンズ装置の構成）
図２に基づいて本実施例における交換レンズ１０の構成について説明する。
【００１３】
交換レンズ１０は、レンズマウント１１、環状弾性部材（弾性部材）１２、交換レンズ本体あるいは筒部材としての外装環１３、内部に少なくとも１枚のレンズが設けられているレンズ鏡筒１４を有している。レンズマウント１１は、前述のカメラマウント１と結合するためにレンズ側マウント当接面１１ａ、レンズ側マウント径嵌合部１１ｂ、複数のレンズ側バヨネット爪部１１ｃ、取付面１１ｄを有している。つまり、レンズマウント（第２マウント部）１１は、複数のカメラ側バヨネット爪部１ｃと係合する複数のレンズ側バヨネット爪部（第２バヨネット爪部）１１ｃを有する。取付面１１ｄはレンズマウント１１の外装環１３側（筒部材側）の面である。
【００１４】
レンズマウント１１とレンズ鏡筒１４の位置決めと固定について説明する。レンズマウント１１は、レンズ鏡筒１４をスラスト方向（光軸方向）に位置決めするレンズ鏡筒当接面１１ｄを有している。レンズ鏡筒１４には、レンズマウント１１をスラスト方向に位置決めするレンズマウント当接面１４ａを有している。レンズ鏡筒当接面１１ｄをレンズマウント当接面１４ａに当接させた状態で、レンズマウント１１を不図示のビスでレンズ鏡筒１４に固定することで、レンズマウント１１とレンズ鏡筒１４の位置決めと固定を行うことができる。
【００１５】
外装環１３には不図示の片寄せ突起が設けられており、レンズマウント１１とレンズ鏡筒１４の間のレンズ鏡筒１４側に寄せられて固定されている。
【００１６】
環状弾性部材１２の取り付けについて説明する。環状弾性部材１２は、密着部１２ａ、把持部１２ｂ、レンズマウント側当接面１２ｃ、カメラマウント側当接面１２ｄを有している。環状弾性部材１２は、外装環１３に設けられた環状弾性部材側当接面１３ａとレンズマウント１１に挟まれている。
【００１７】
この結果、環状弾性部材１２の光軸方向の位置は、環状弾性部材１２の把持部１２ｂが光軸方向において、外装筒１３の環状弾性部材側当接面１３ａとレンズマウント１１の取付面１１ｄとで圧縮して挟まれることにより決まる。一方、環状弾性部材１２の径方向の位置は、外装筒１３の内周面１３ｂとレンズマウント１１の側周面１１ｅとで挟まれることにより決まる。より詳細には、環状弾性部材１２が光軸方向において環状弾性部材側当接面１３ａとレンズマウント１１の取付面１１ｄとで圧縮して挟まれる結果、環状弾性部材１２が径方向に広がる。そして、環状弾性部材１２が径方向において内周面１３ｂと側周面１１ｅとで挟まれることになる。
【００１８】
交換レンズ１０の内部には複数のレンズが設けられている。複数のレンズの中にはフォーカシング時に光軸方向に移動するフォーカスレンズユニットが含まれている。ズーミング時に光軸方向に移動するズームレンズユニットが更に交換レンズ１０内部に設けられていてもよい。
【００１９】
（カメラ本体の構成）
図３に基づいてカメラ本体１００の構成、特にカメラマウント１周辺の構成について説明する。
【００２０】
カメラ本体１００は、カメラマウント１、バヨネット付勢用バネ２、前カバー３を有している。これらの部品は不図示のカメラ本体構造に固定されている。
【００２１】
カメラマウント１は、カメラ側マウント当接面１ａ、カメラ側マウント径嵌合部１ｂ、複数のカメラ側バヨネット爪部１ｃを有している。交換レンズ１０をカメラ本体１００に装着すると、カメラ側マウント当接面１ａとレンズ側マウント当接面１１ａが当接し、カメラ側マウント径嵌合部１ｂとレンズ側マウント径嵌合部１１ｂが嵌合する。そして、カメラ側バヨネット爪部１ｃとレンズ側バヨネット爪部１１ｃが当接（係合、嵌合）して、バヨネット付勢用バネ２によってレンズ側バヨネット爪部１１ｃがカメラ本体１００側に付勢される。
【００２２】
（バックフォーカスの調整方法）
バックフォーカス調整は、レンズ及びこのレンズを保持する鏡筒の部品の作製誤差によって生じる無限ピントのずれ、即ち、無限遠物体に焦点合わせをしたときの、レンズ鏡筒の所定面から焦点面までの距離の設計値からのずれを修正する作業である。
【００２３】
バックフォーカスの設計値からのずれ量の測定は、ピントコリメータなどの工具を用いた前述の特許文献１に記載の方法などを用いればよい。
【００２４】
上記の方法で測定したバックフォーカスのずれ量と同じ量だけレンズマウント１１の取付面１１ｄを切削あるいは研磨してバックフォーカスが所定値（設計値）となるように合わせる。この作業によってバックフォーカスの調整が行われる。
【００２５】
ここで、レンズマウント１１の厚み（取付面１１ｄの切削前の厚み）は以下のように設定することが好ましい。すなわち、各レンズ・鏡筒の作成誤差から生じるバックフォーカスのずれ量の最大値を計算から求める。そして、この最大値分レンズマウント１１を切削あるいは研磨したとしてもレンズマウント１１の厚みが実際の製品として充分に残るような値にレンズマウント１１の厚みを設定することが好ましい。これにより、レンズマウント１１はバックフォーカスのずれ量に関係なく必ず切削あるいは研磨されてレンズ鏡筒１４に取り付けられることになる。
【００２６】
なお、本実施例では、レンズマウント１１の取付面１１ｄを切削あるいは研磨する手法について述べたが、レンズ鏡筒１４のレンズマウント当接面１４ａを切削あるいは研磨してもよい。あるいは、取付面１１ｄとレンズマウント当接面１４ａの双方を切削あるいは研磨してもよい。あるいは、取付面１１ｄとレンズマウント当接面１４ａの少なくも一方にバックフォーカス調整用のリング状の部材を設け、この部材を切削あるいは研磨してバックフォーカスを調整してもよい。さらに、取付面１１ｄあるいはレンズマウント当接面１４ａを切削あるいは研磨しすぎてしまった場合には、取付面１１ｄとレンズマウント当接面１４ａの間にワッシャーを追加してバックフォーカスを調整してもよい。
【００２７】
なお、本実施例における交換レンズ１０はズームレンズユニットを備えたズームレンズであってもよいし、単焦点レンズであってもよい。交換レンズ１０がズームレンズであっても単焦点レンズであってもバックフォーカス調整は上記の方法を用いることができる。
【００２８】
（環状空隙部）
外装環１３と環状弾性部材１２の間には、環状空隙部（空隙部、凹部、環状凹部）１５が形成されている。環状空隙部１５は、環状弾性部材１２のレンズマウント側当接面１２ｃと同一平面上にあって、外装環１３に環状の凹形状として形成されている。言い換えれば、外装環１３には環状空隙部１５が設けられている。
【００２９】
環状空隙部１５の外径は、環状弾性部材１２と外装環１３の嵌め合い径と同径に形成されている。環状空隙部１５の内径は、レンズマウント１１の外径と同径に形成されている。環状空隙部１５のスラスト方向の寸法は、前述のバックフォーカスのずれ量の最大値よりも大きく形成されている。
【００３０】
（環状弾性部）
図３に基づいて環状弾性部材１２について説明する。
【００３１】
交換レンズ１０とカメラ１００が結合される（交換レンズ１０がカメラ本体１００に装着される）と、環状弾性部材１２の密着部１２ａは、前カバー３に沿うように弾性変形して前カバー３に密着する。図３においては、環状弾性部材１２の弾性変形前（交換レンズ１０がカメラ本体１００から取り外されている状態）の形状を鎖線で示している。そして、環状弾性部材１２の弾性変形後（交換レンズ１０がカメラ本体１００に装着されている状態）の形状を実線で示している。
【００３２】
環状弾性部材１２と前カバー３の相対的な位置関係は、前述のバックフォーカス調整におけるバックフォーカスのずれ量が０のときに、カメラマウント１とレンズマウント１１の水密的結合の関係を保てるようになっている。あるいは、両者の相対的な位置関係は、前述のバックフォーカス調整におけるバックフォーカスのずれ量が０のときに、環状弾性部材１２の密着部１２ａが変形した状態で前カバー３に接触する（密着する）ようになっている。
【００３３】
前述のように、バックフォーカス調整においてレンズマウント１１は、バックフォーカスのずれ量と同じ厚みだけ切削あるいは研磨される。この結果、レンズマウント１１が薄くなり、環状弾性部材１２と前カバー３の間隔が、バックフォーカスのずれ量、つまり、レンズマウント１１の切削量（研磨量）だけ短くなる。つまり、バックフォーカス調整の結果、カメラ本体１００が交換レンズ１０に近づくことになる。レンズマウント１１を切削あるいは研磨すると、その分だけ環状弾性部材１２は更に前カバー３から押され、密着部１２ａと前カバー３の間に生じる摩擦が大きくなるおそれがある。
【００３４】
つまり、環状弾性部材１２が前カバー３に沿うように弾性変形する際の、弾性変形力が大きいと、環状弾性部材１２と前カバー３の間に発生する摩擦力が大きくなり、交換レンズ１０とカメラ本体１００の着脱感が重くなるおそれがある。
【００３５】
（本実施例によって得られる効果）
上記の摩擦増大に対する対策として、本実施例の交換レンズ１０は環状空隙部１５を備えている。バックフォーカスのずれ量分押された環状弾性部材１２は、弾性変形をともなって、環状空隙部１５に逃げることができ、上記の摩擦増大を抑制することができる。
【００３６】
言い換えれば、外装環１３には環状空隙部１５が設けられている。そして、環状弾性部材１２の一部は、アクセサリとしての交換レンズ１０をカメラ本体１００に装着した際に、環状空隙部１５に入ることができる。このため、上記の摩擦増大を抑制し、カメラ本体に対してより着脱しやすいアクセサリを実現することができる。つまり、本実施例においては、環状弾性部材１２は環状空隙部１５に逃げていて、上記の摩擦増大を抑制し、交換レンズ１０をカメラ本体１００に快適に装着、あるいはカメラ本体１００から快適に取り外すことができる。
【００３７】
環状空隙部１５のスラスト方向の寸法は、前述のバックフォーカスのずれ量の最大値よりも大きいため、仮にバックフォーカスの調整量が最大値だったとしても、環状弾性部材１２と環状空隙部１５の間にすき間が生じることになる。つまり、バックフォーカスの調整量が最大値だったとしても、環状弾性部材１２は環状空隙部１５内で変形することができる。そのため、バックフォーカスのずれ量によらずに、カメラマウント１とレンズマウント１１の水密的な関係性を維持することができる。
【００３８】
バックフォーカスの調整量が多すぎた場合、言い換えれば、レンズマウント１１の取付面１１ｄあるいはレンズ鏡筒１４のレンズマウント当接面１４ａを切削しすぎてしまった場合について考える。この場合には、交換レンズ１０をカメラ本体１００に装着した際に環状弾性部材１２の一部が環状空隙部１５に入ることが可能であるように交換レンズ１０を構成しつつ、ワッシャーなどの調整部材でバックフォーカス調整を行ってもよい。ただし、このような調整部材を設けない方が、交換レンズ１０が軽くなったり、製造コストが抑えられたりするために好ましい。
【００３９】
本実施例においては、バックフォーカス調整によって、環状弾性部材１２とカバー３の間に発生する摩擦力が大きくなる事例を挙げたが、本実施例の効果はバックフォーカス調整を伴う交換レンズ１０に限定されるものではない。例えば、カメラ１００の前カバー３の材質が環状弾性部材１２と摩擦力が大きい材質で構成される場合においても効果を発揮する。具体的には、環状弾性部材１２がシリコンゴムで、前カバー３がＰＣなどの樹脂で構成されている場合と比較して、前カバー３がアルミニウムなどの金属であった場合、つまり前カバー３が金属部材である場合に特に有効である。
【００４０】
なお、環状空隙部１５は、外装環１３と環状弾性部材１２の間に完全に挟まれている閉じた空間である必要はない。例えば、図２に示すように、環状弾性部材１２を組み立てる際の空気逃げとして、環状空隙部１５の底面と交換レンズ１０の内部あるいは外部をつなぐように外装環１３を貫通する貫通部１５ａを外装環１３に設けてもよい。
【００４１】
また、環状空隙部１５の内径はレンズマウント１１の外径と同径に形成しているが、環状空隙部１５の内径をレンズマウント１１の外径よりも大きくしてもよい。つまり、環状空隙部１５の内径はレンズマウント１１の外径以上であればよい。
【００４２】
また、環状空隙部１５の外径は環状弾性部材１２と外装環１３の嵌め合い径と同径に形成されているが、環状空隙部１５の外径を環状弾性部材１２と外装環１３の嵌め合い径よりも小さくしてもよい。つまり、環状空隙部１５の外径は環状弾性部材１２と外装環１３の嵌め合い径以下であればよい。
【００４３】
なお、環状空隙部１５の外径が環状弾性部材１２の外径よりも小さい場合には、環状弾性部材１２が環状空隙部１５に対して圧入され、環状弾性部材１２を安定して保持することができる。
【００４４】
［第２実施例］
図４及び図５を用いて第２実施例におけるアクセサリについて説明する。前述の第１実施例と本実施例との違いは外装環が備える環状空隙部の形状（あるいは大きさ）及び環状弾性部材の形状である。その他同一の部分については同一の符号を付して説明を省略する。
【００４５】
前述の第１実施例においては、図２及び図３に示すように、外装環１３が備える環状空隙部１５の光軸直交方向の幅（紙面上下方向の幅）は、環状弾性部材１２の光軸直交方向の幅よりも小さい。そして、図２に示すように、交換レンズ１０がカメラ本体１００から取り外されている際には環状空隙部１５の底面から環状弾性部材１２は離れている。そして、図３に示すように、交換レンズ１０をカメラ本体１００に装着した際に環状空隙部１５の底面に環状弾性部材１２が接触する。
【００４６】
このような第１実施例に対して、本実施例におけるアクセサリである交換レンズ２０は、外装環１３の代わりに外装環２３、環状弾性部材１２の代わりに環状弾性部材２２、環状空隙部１５の代わりに環状空隙部２５を備えている。交換レンズ２０は交換レンズ１０と同様のレンズマウント１１を備えているために、カメラ本体１００に対して着脱可能である。
【００４７】
図４及び図５に示すように、環状空隙部２５の光軸直交方向の幅は環状弾性部材２２の光軸直交方向の幅と同じである。そして、図４に示すように、交換レンズ２０がカメラ本体１００から取り外されている際には、環状空隙部２５の底面に環状弾性部材２２の一部（第１部分）２２ｂが接触している。より詳細には、交換レンズ２０がカメラ本体１００から取り外されている際には、環状弾性部材２２のレンズマウント側当接面２２ｃが、環状空隙部２５の底面の一部である外装環２３の弾性部材当接面２３ａに接触している。
【００４８】
そして、図５に示すように、交換レンズ２０がカメラ本体１００に装着されている際には、環状空隙部２５の底面に環状弾性部材２２の一部（第１部分）２２ｂに加えて、環状弾性部材２２の一部（第２部分）２２ｄも接触する。より詳細には、交換レンズ２０がカメラ本体１００に装着されている際には、当接面２２ｃが当接面２３ａに当接する。そして、環状弾性部材２２のレンズマウント側当接面２２ｄが、環状空隙部２５の底面の一部である外装環２３の弾性部材当接面２３ｂに接触している。
【００４９】
なお、交換レンズ２０がカメラ本体１００から取り外されている際には、当接面２２ｃが当接面２３ａに必ず接触しなければいけないわけではない。さらに、交換レンズ２０がカメラ本体１００に装着されている際に、当接面２２ｄが当接面２３ｂに必ず接触しなければいけないわけではない。交換レンズ２０がカメラ本体１００から取り外されている際の光軸方向における当接面２２ｄと当接面２３ｂの間の距離が、当接面２２ｃと当接面２３ａの間の距離よりも大きければよい。言い換えれば、交換レンズ２０がカメラ本体１００に装着する際に環状弾性部材２２が変形した部分が逃げるスペースが環状空隙部２５の中にあればよい。
【００５０】
このような構成の本実施例においても、前述の第１実施例と同様に、カメラ本体に対してより着脱しやすいアクセサリを実現することができる。
【００５１】
［変形例］
前述の第１及び第２実施例においてはアクセサリとして交換レンズを例示したが、本発明は交換レンズに限定されるものではない。カメラ本体１００に装着可能で、かつ、環状空隙部、環状弾性部材、レンズマウント１１と同じ構造のマウント部を有し、交換レンズとカメラ本体１００との間に装着可能なアダプタに前述の第１及び第２実施例の構造を適用してもよい。ここでいうアダプタはエクステンダーやマウント変換アダプタなどのことである。
【００５２】
また、環状弾性部材の代わりに環状ではない弾性部材を用いてもよい。例えば、円環状、言い換えれば、３６０度つながっている一つの弾性部材の代わりに、所定の間隔を空けて同一円周上に配置した複数の弾性部材を用いてもよい。これに合わせて環状空隙部の代わりに、所定の間隔を空けて同一円周上に配置した複数の空隙部を用いてもよい。
【００５３】
また、前述の第１及び第２実施例においては交換レンズ本体あるいは筒部材としての外装環１３に空隙部を設けた構成を例示したが、本発明はこのような構成に限定されるものではない。筒部材、言い換えれば筒状の部材あるいは円環状の部材であれば、外装環１３以外の例えばレンズ鏡筒１４などの部材に空隙部を設けても良い。
【符号の説明】
【００５４】
１０  交換レンズ（アクセサリ）
１１  レンズマウント（第２マウント部）
１１ｃ  レンズ側バヨネット爪部（第２バヨネット爪部）
１２  環状弾性部材（弾性部材）
１３  外装環（筒部材）
１５  環状空隙部（凹部）
【図１】
2020027162.tif 000003
【図２】
2020027162.tif 000004
【図３】
2020027162.tif 000005
【図４】
2020027162.tif 000006
【図５】
2020027162.tif 000007